(57)【要約】  複数の熱媒体流路切替え装置および熱媒体流量調整装置を一体化し、この一体化した一体化熱媒体流路切替え装置が持つ熱媒体流路切替え機能、および熱媒体流量調整機能を単一の駆動装置で駆動制御することで同時に実現する構造にする。また、熱媒体流量調整機能について、熱媒体の搬送を閉止できる構造にすることで利用側熱交換器との流路を遮断する機能を付与する。
2016009748.tif 000002
【特許請求の範囲】
【請求項１】
圧縮機、熱源側冷媒を蒸発ガス化または凝縮液化する熱源側熱交換器、流体の流量を制御する絞り装置、熱源側冷媒と利用側の熱媒体の間で熱交換を行う熱媒体間熱交換器の冷媒側配管、および冷媒の循環経路を切り替える冷媒流路切替え装置、を冷媒配管で接続して熱源側冷媒を循環させる冷媒循環流路網と、
熱媒体を加圧し搬送するポンプ、室内空間との熱交換を行う利用側熱交換器、前記熱媒体間熱交換器の熱媒体側配管を熱媒体配管で接続して熱媒体を循環させる熱媒体循環流路網と、を有し、
前記熱媒体間熱交換器において前記熱源側冷媒により加熱あるいは冷却された熱媒体と、空調対象空間の空気との間で、前記利用側熱交換器において熱交換することで前記空調対象空間の温度を制御する空気調和装置であって、
前記熱媒体間熱交換器と前記利用側熱交換器の間には一体化熱媒体流路切替え装置が配置され、当該一体化熱媒体流路切替え装置の内部には、内部長手方向に仕切りを有し、かつ側壁に穴を有した熱媒体流路切替え弁を備えており、
前記熱媒体流路切替え弁が回転動作することで、前記熱媒体間熱交換器と前記利用側熱交換器間で流す媒体である加熱あるいは冷却された熱媒体のいずれかを選択して、空気調和することを特徴とする空気調和装置。
【請求項２】
前記利用側熱交換器が複数設置されている場合において、前記利用側熱交換器の台数と同数以下の前記一体化熱媒体流路切替え装置を備え、前記熱媒体間熱交換器のすべてが凝縮器として作用する全暖房運転モードと、前記熱媒体間熱交換器のすべてが蒸発器として作用する全冷房運転モードと、前記熱媒体間熱交換器の一部が凝縮器として作用し、前記熱媒体間熱交換器の一部が蒸発器として作用する冷房暖房運転混在運転モードを実現する請求項１に記載の空気調和装置。
【請求項３】
前記各運転モードにおいて、各運転モードを実施中に、前記熱媒体間熱交換器と前記利用側熱交換器間で流れる熱媒体の流量を制御することを特徴とする請求項２に記載の空気調和装置。
【請求項４】
前記一体化熱媒体流路切替え装置に備えた単一の駆動装置により、前記熱媒体間熱交換器に設置した温度センサと前記利用側熱交換器で検出した熱媒体の温度差を目標値に保つように、熱媒体の切替えと流量調整を同時に行うことを特徴とする請求項３に記載の空気調和装置。
【請求項５】
前記各運転モードにおいて、複数の一体化熱媒体流路切替え装置内の一部もしくは全ての駆動装置を制御して流路を閉塞することにより、前記熱媒体間熱交換器と前記利用側熱交換器間の熱媒体の流路を遮断することを特徴とする請求項３または４に記載の空気調和装置。
【請求項６】
前記冷媒循環流路網に供給される冷媒は、単一冷媒、擬似共沸混合冷媒、非共沸混合冷媒、自然冷媒を含む二相変化を伴う冷媒、あるいは超臨界となる冷媒であることを特徴とする請求項１から５のいずれか１項に記載の空気調和装置。
【請求項７】
前記熱媒体循環流路網に供給される熱媒体は、不凍液、あるいは水との防食効果が高い添加剤の混合液で構成することを特徴とする請求項１から６のいずれか１項に記載の空気調和装置。
【請求項８】
前記一体化熱媒体流路切替え装置に、加熱および冷却された熱媒体の流路の一部を形成し、これが連通するように一体化熱媒体流路切替え装置を構成することで熱媒体の流路を形成したことを特徴とする請求項１から７のいずれか１項に記載の空気調和装置。
【請求項９】
前記一体化熱媒体流路切替え装置を接続する、加熱および冷却された熱媒体が流れる配管を、連通するように構成することで、熱媒体の流路を成形し、熱媒体流路切替え装置の数量を変更可能としたことを特徴とする請求項１から７のいずれか１項に記載の空気調和装置。
【発明の詳細な説明】
【技術分野】
【０００１】
本発明は、たとえばビル用マルチエアコン等に適用される空気調和装置に係り、複数の部品の一体化による小型化と製造コストの削減に関するものである。
【背景技術】
【０００２】
ビル用マルチエアコンなどの空気調和装置は、一般に１台の熱源機である室外ユニットと、複数の空調対象空間にそれぞれ設ける室内ユニットを接続し、各空調対象空間の温度を調節する装置である。従来から、例えば建物外に配置した室外ユニットと、建物内の空調対象空間に配置した室内ユニットとの間にＨＦＣ（ハイドロフルオロカーボン）等の冷媒を循環させ、室外ユニットで加熱もしくは冷却した冷媒を室内ユニットで空調対象空間の空気に放熱もしくは冷却することで、空調対象空間の冷房または暖房を行う装置がある。本装置は、構造上、冷媒が室内ユニットまで循環するため、冷媒が空調対象空間内に漏れる可能性があった。【０００３】
そこで、室外ユニットと室内ユニットの間に中継ユニットを設け、室外ユニットから中継ユニットまで冷媒を、中継ユニットから室内ユニットまで水等の熱媒体を循環させ、中継ユニットに備えた熱媒体間熱交換器により、冷媒と熱媒体間で熱交換する空気調和装置がある。中継ユニットには更に熱媒体流路切替え装置を備えており、熱媒体間熱交換器で加熱された熱媒体（以後、暖房用熱媒体と記す）は暖房運転を行う室内ユニットに、冷却された熱媒体（以後、冷房用熱媒体と記す）は冷房運転を行う室内ユニットに、それぞれ搬送され、室内ユニットで、これらの媒体と空調対象空間の空気とを熱交換することで、それぞれ、冷房運転、暖房運転を空調対象空間毎に実現することができる（例えば特許文献１）。
【先行技術文献】
【特許文献】
【０００４】
【特許文献１】国際公開２０１０／０４９９９８号
【発明の概要】
【発明が解決しようとする課題】
【０００５】
特許文献１の空気調和装置では、暖房運転と冷房運転を室内ユニット毎に実現するため、中継ユニットからそれぞれの室内ユニットに熱媒体を搬送する全ての流路に、熱媒体の種類（暖房用熱媒体もしくは冷房用熱媒体）を切り替えるための熱媒体流路切替え装置を１個ずつ、各室内ユニットから中継ユニットに熱媒体を戻す流路に熱媒体の種類を切り替えるための熱媒体流路切替え装置を１個ずつ必要とする。すなわち室内ユニット１台につき熱媒体流路切替え装置は計２個必要となる。
さらに、空調対象空間の室温調整は中継ユニットから室内ユニットに搬送する熱媒体の流量制御によりなされており、室内ユニット１台につき熱媒体流量調整装置が１個必要となる。【０００６】
以上により、従来の空気調和装置では、室内ユニット１台毎に、熱媒体流路切替え装置２個と熱媒体流路切替え装置１個、さらに各々を駆動させるモータ等の制御部品、あるいは接続する配管および締結部品等の種々の部品が必要となり、装置が大型になる、製造コストが高くなるという問題があった。【０００７】
本発明は、上記のような課題を鑑みてなされたものであり、複数の室内ユニットを備えた空気調和装置において、熱媒体流路切替え装置と熱媒体流量調整装置の機能を兼ね備えた一体化熱媒体流路切替え装置を用いることで、装置を小型化し製造コストを削減した空気調和装置を提供することを目的とする。
【課題を解決するための手段】
【０００８】
本発明に係る空気調和装置は、
圧縮機、熱源側冷媒を蒸発ガス化または凝縮液化する熱源側熱交換器、流体の流量を制御する絞り装置、熱源側冷媒と利用側の熱媒体の間で熱交換を行う熱媒体間熱交換器の冷媒側配管、および冷媒の循環経路を切り替える冷媒流路切替え装置、を冷媒配管で接続して熱源側冷媒を循環させる冷媒循環流路網と、
熱媒体を加圧し搬送するポンプ、室内空間との熱交換を行う利用側熱交換器、前記熱媒体間熱交換器の熱媒体側配管を熱媒体配管で接続して熱媒体を循環させる熱媒体循環流路網と、を有し、
前記熱媒体間熱交換器において前記熱源側冷媒により加熱あるいは冷却された熱媒体と、空調対象空間の空気との間で、前記利用側熱交換器において熱交換することで前記空調対象空間の温度を制御する空気調和装置であって、
前記熱媒体間熱交換器と前記利用側熱交換器の間には一体化熱媒体流路切替え装置が配置され、当該一体化熱媒体流路切替え装置の内部には、内部長手方向に仕切りを有し、かつ側壁に穴を有した熱媒体流路切替え弁を備えており、
前記熱媒体流路切替え弁が回転動作することで、前記熱媒体間熱交換器と前記利用側熱交換器間で流す媒体である加熱あるいは冷却された熱媒体のいずれかを選択して、空気調和することを特徴とするものである。
【発明の効果】
【０００９】
本発明に係る空気調和装置によれば、複数の熱媒体流路切替え装置と熱媒体流量調整装置の機能を兼ね備えた一体化熱媒体流路切替え装置を備え、当該一体化熱媒体流路切替え装置は単一の駆動装置により動作する。これにより熱媒体制御部品（熱媒体流路切替え装置、熱媒体流量調整装置）の数量、駆動装置、熱媒体配管および締結部品等の種々の部品が削減でき、装置の小型化、あるいは製造コストの削減ができる。
【図面の簡単な説明】
【００１０】
【図１】本発明の実施の形態１に係る空気調和装置の設置例を示す概略図である。
【図２】本発明の実施の形態１に係る空気調和装置の構成の一例を示す概略構成図である。
【図３】本発明の実施の形態１に係る空気調和装置における全暖房運転モード時における冷媒および熱媒体の流れを示す図である。
【図４】本発明の実施の形態１に係る空気調和装置における全冷房運転モード時における冷媒および熱媒体の流れを示す図である。
【図５】本発明の実施の形態１に係る空気調和装置における冷房運転、暖房運転混在モード時における冷媒および熱媒体の流れを示す図である。
【図６】本発明の実施の形態１に係る空気調和装置における一体化熱媒体流路切替え装置の概念図である。
【図７】本発明の実施の形態１に係る空気調和装置における一体化熱媒体流路切替え装置の、内部での熱媒体の流路を示す概念図である。
【図８】本発明の実施の形態１に係る空気調和装置における一体化熱媒体流路切替え装置の、全冷房運転モード時における熱媒体の流れを示す概念図である。
【図９】本発明の実施の形態１に係る空気調和装置における一体化熱媒体流路切替え装置の、全冷房運転モード時における内部での熱媒体の流れを示す概念図である。
【図１０】本発明の実施の形態１に係る空気調和装置における一体化熱媒体流路切替え装置の、全暖房運転モード時における熱媒体の流れを示す概念図である。
【図１１】本発明の実施の形態１に係る空気調和装置における一体化熱媒体流路切替え装置の、全暖房運転モード時における内部での熱媒体の流れを示す概念図である。
【図１２】本発明の実施の形態１に係る空気調和装置における一体化熱媒体流路切替え装置の、流路を閉止した場合における熱媒体の流れを示した概念図である。
【図１３】本発明の実施の形態１に係る空気調和装置における一体化熱媒体流路切替え装置の、流路を閉止した場合における内部での熱媒体の流れを示した概念図である。
【図１４】本発明の実施の形態２に係る空気調和装置における一体化熱媒体流路切替え装置の概念図である。
【図１５】本発明の実施の形態２に係る空気調和装置における一つの駆動装置を備えた一体化熱媒体流路切替え装置の、内部での熱媒体の流路を示す概念図である。
【図１６】本発明の実施の形態３に係る空気調和装置における一体化熱媒体流路切替え装置の概念図である。
【発明を実施するための形態】
【００１１】
実施の形態１．
以下、本願発明の実施の形態１における空気調和装置１００について説明する。
図１は、本発明の実施の形態１に係る空気調和装置１００の設置例を示す概略図であり、複数台の室内ユニット３を接続している空気調和装置１００の全体を概略的に示している。本空気調和装置１００は、冷媒（熱源側冷媒、熱媒体）を循環させる冷凍サイクル（冷媒循環流路網Ａ、熱媒体循環流路網Ｂ）を利用することで、各室内ユニットが運転モードとして冷房モードあるいは暖房モードを自由に選択できるようになっている。空気調和装置１００が実行する各運転モードとして、室内ユニット３の全てが暖房運転を実行する全暖房運転モード、室内ユニット３の全てが冷房運転を実行する全冷房運転モード、冷房暖房混在運転モードのうち暖房負荷よりも冷房負荷の方が大きい冷房主体運転モード、及び、冷房暖房混在運転モードのうち冷房負荷よりも暖房負荷の方が大きい暖房主体運転モードがあるが、詳細については後に記す。
なお、図１を含め、以下の図面では各構成部材の大きさの関係が実際のものとは異なる場合がある。
【００１２】
図１においては、本実施の形態１に係る空気調和装置１００は、室外ユニット（熱源機）１と、複数台の室内ユニット３と、室外ユニット１と室内ユニット３との間に介在する１台の中継ユニット２と、を有している。室外ユニット１は、一般にビル等の建物９の外の空間（たとえば、屋上等）である室外空間６に配置される。また、室内ユニット３は、建物９の内部の空調対象空間（たとえば、居室等）である室内空間７に配置される。中継ユニット２は、室外ユニット１及び室内ユニット３とは別ユニットとして、室外空間６および室内空間７とは別の空間、例えば天井裏８等に配置されている。
室外ユニット１と中継ユニット２とは、熱源側冷媒を導通する冷媒配管４で接続されている。また、中継ユニット２と室内ユニット３とは、熱媒体を導通する熱媒体配管５で接続されている。
【００１３】
次に、本発明の実施の形態１に係る空気調和装置１００の動作を説明する。熱源側冷媒は、室外ユニット１から中継ユニット２に冷媒配管４を通して搬送される。搬送された熱源側冷媒は、中継ユニット２内の熱媒体間熱交換器（後述）にて熱媒体と熱交換し、熱媒体を加温または冷却する。つまり、熱媒体間熱交換器で、温水または冷水が作り出される。中継ユニット２にて作られた温水または冷水は、熱媒体搬送装置（後述）にて、熱媒体流路切替え装置により温水または冷水を選択され、熱媒体配管５を通して室内ユニット３へ搬送され、室内ユニット３にて室内空間７に対する暖房運転または冷房運転に供される。
【００１４】
熱源側冷媒としては、たとえばＲ−２２、Ｒ−１３４ａ、Ｒ３２等の単一冷媒、Ｒ−４１０Ａ、Ｒ−４０４Ａ等の擬似共沸混合冷媒、Ｒ−４０７Ｃ等の非共沸混合冷媒、化学式内に二重結合を含む、ＣＦ3  ＣＦ＝ＣＨ2等の地球温暖化係数が比較的小さい値とされている冷媒もしくはその混合物、またはＣＯ2もしくはプロパン等の自然冷媒を用いることができる。
【００１５】
一方、熱媒体としては、たとえば水、不凍液、水と不凍液の混合液、水と防食効果が高い添加剤の混合液等を用いることができる。
【００１６】
なお、図１においては、室外ユニット１を室外空間６に設置している場合を例示しているが、これに限定するものではなく、排気ダクト等により廃熱を排気出来る環境下であれば、例えば機械室あるいは建物９の内部に設置してもよい。また、中継ユニット２を天井裏８に設置している場合を例示しているが、これに限定するものではなく、エレベータ等がある共用空間等に設置することも可能である。また、室内ユニット３が天井カセット型である場合を例に示してあるが、これに限定するものではなく、天井埋込型もしくは天井吊下式等、室内空間７に直接またはダクト等を用いて、間接的に暖房用空気あるいは冷房用空気を吹き出せるようになっていれば、どんな種類のものでもよい。
【００１７】
また、中継ユニット２は、室外ユニット１の近傍に設置することもできる。ただし、中継ユニット２から室内ユニット３までの距離が長すぎると、熱媒体の搬送動力が増大し、省エネルギー化の妨げになるため留意が必要である。
また、室外ユニット１、室内ユニット３及び中継ユニット２の接続台数は、図１に図示している台数に限定するものではなく、空調対象空間の数あるいは容積に応じて台数を決定すればよい。
【００１８】
室外ユニット１台に対して複数台の中継ユニット２を接続する場合、中継ユニット２をビル等の建物における共用スペースまたは天井裏８等のスペースに点在して設置した方が好ましい。それにより、各中継ユニット２内の熱媒体間熱交換器で空調負荷を賄うことができる。また、室内ユニット３と中継ユニット２の距離を短縮でき、省エネルギー化が可能となる。
【００１９】
図２は、本実施の形態１に係る空気調和装置１００の構成の一例を示す概略構成図である。図２に示すように、室外ユニット１と中継ユニット２とが、中継ユニット２に備えられている熱媒体間熱交換器（冷媒−水熱交換器）２５ａ及び熱媒体間熱交換器（冷媒−水熱交換器）２５ｂを介して冷媒配管４で接続されている。また、中継ユニット２と室内ユニット３とが、熱媒体間熱交換器２５ａ、熱媒体間熱交換器２５ｂ、熱媒体流路切替え装置３２（３２ａ〜３２ｄ）、および熱媒体流路切替え装置３３（３３ａ〜３３ｄ）を介して、熱媒体配管５で接続されている。なお、冷媒配管４及び熱媒体配管５については後段で詳述する。
図２では熱媒体流路切替え装置３２（３２ａ〜３２ｄ）と熱媒体流路切替え装置３３（３３ａ〜３３ｄ）を別体に示しているが、これは空気調和装置１００の熱媒体流路の各構成要素の機能を説明するためであり、構造的には、熱媒体流路切替え装置３２（３２ａ〜３２ｄ）と熱媒体流路切替え装置３３（３３ａ〜３３ｄ）とを一体化した構成の一体化熱媒体流路切替え装置４０（４０ａ〜４０ｄ）を搭載している。
一体化熱媒体流路切替え装置４０は室内ユニット３の設置台数に応じた個数が設けられ、ここでは４台の室内ユニット３に対してそれぞれ１台、計４台の一体化熱媒体流路切替え装置４０を搭載している。本実施の形態は、この一体化熱媒体流路切替え装置４０に特徴があるが、詳細は後述する。
【００２０】
［室外ユニット］
室外ユニット１には、圧縮機１０と、四方弁等の第１冷媒流路切替え装置１１と、熱源側熱交換器１２と、アキュムレーター１９とが、冷媒配管４で直列に接続されて搭載されている。また、室内ユニット３の要求する運転が暖房または冷房に関わらず、中継ユニット２に流入させる熱源側冷媒の流れを一定方向にするために、冷媒用接続配管４ａ、冷媒用接続配管４ｂ、逆止弁１３ａ、逆止弁１３ｂ、逆止弁１３ｃ、及び、逆止弁１３ｄを設けている。
【００２１】
圧縮機１０は、熱源側冷媒を吸入し、これを圧縮することで、熱源側冷媒を高圧かつ高温の状態にして冷媒循環流路網Ａ（図２中の一点鎖線で囲んだ部分参照）に搬送するものであり、たとえば容量制御可能なインバータ圧縮機等で構成するとよい。第１冷媒流路切替え装置１１は、暖房運転時（全暖房運転モード時及び暖房主体運転モード時）における熱源側冷媒の流れと冷房運転時（全冷房運転モード時及び冷房主体運転モード時）における熱源側冷媒の流れとを切り替えるものである。
【００２２】
熱源側熱交換器１２は、暖房運転時には蒸発器として機能し、冷房運転時には凝縮器（または放熱器）として機能し、図示省略のファン等の送風機から供給される空気と熱源側冷媒との間で熱交換を行ない、その熱源側冷媒を蒸発ガス化または凝縮液化するものである。アキュムレーター１９は、圧縮機１０の吸入側に設けられており、暖房運転時と冷房運転時の違いによる余剰冷媒、または過渡的な運転の変化に対する余剰冷媒を蓄えるものである。
【００２３】
逆止弁１３ｃは、中継ユニット２と第１冷媒流路切替え装置１１との間における冷媒配管４（点線で記載の配管が該当。なお、熱媒体配管は実線で記載）に設けられ、所定の方向（中継ユニット２から室外ユニット１への方向）のみに熱源側冷媒の流れを許容するものである。逆止弁１３ａは、熱源側熱交換器１２と中継ユニット２との間における冷媒配管４に設けられ、所定の方向（室外ユニット１から中継ユニット２への方向）のみに熱源側冷媒の流れを許容するものである。逆止弁１３ｄは、冷媒用接続配管４ａに設けられ、暖房運転時において圧縮機１０から吐出された熱源側冷媒を中継ユニット２に流通させるものである。逆止弁１３ｂは、冷媒用接続配管４ｂに設けられ、暖房運転時において中継ユニット２から戻ってきた熱源側冷媒を圧縮機１０の吸入側に流通させるものである。
【００２４】
冷媒用接続配管４ａは、室外ユニット１内において、第１冷媒流路切替え装置１１と逆止弁１３ｃとの間における冷媒配管４と、逆止弁１３ａと中継ユニット２との間における冷媒配管４と、を接続するものである。冷媒用接続配管４ｂは、室外ユニット１内において、逆止弁１３ｃと中継ユニット２との間における冷媒配管４と、熱源側熱交換器１２と逆止弁１３ａとの間における冷媒配管４と、を接続するものである。なお、図２では、冷媒用接続配管４ａ、冷媒用接続配管４ｂ、逆止弁１３ａ、逆止弁１３ｂ、逆止弁１３ｃ、及び、逆止弁１３ｄを設けた場合を例に示しているが、これに限定するものではなく、これらを必ずしも設ける必要はない。
【００２５】
［室内ユニット］
室内ユニット３には、それぞれ利用側熱交換器３５が搭載されている。この利用側熱交換器３５は、熱媒体配管５によって中継ユニット２の第１熱媒体流路切替え装置３２と第２熱媒体流路切替え装置３３に接続するようになっている。この利用側熱交換器３５は、図示省略のファン等の送風機から供給される空気と熱媒体との間で熱交換を行ない、室内空間７に供給するための暖房用空気あるいは冷房用空気を生成するものである。
【００２６】
この図２では、４台の室内ユニット３が中継ユニット２に接続されている場合を例に示しており、上から順に、室内ユニット３ａ、室内ユニット３ｂ、室内ユニット３ｃ、室内ユニット３ｄとして図示している。また、各室内ユニット３ａ〜３ｄに応じて、利用側熱交換器３５も、上から順に、利用側熱交換器３５ａ、利用側熱交換器３５ｂ、利用側熱交換器３５ｃ、利用側熱交換器３５ｄとして図示している。なお、図１と同様に、室内ユニット３の接続台数は、図２に示す４台に限定するものではない。
【００２７】
［中継ユニット］
中継ユニット２には、２つ以上の熱媒体間熱交換器２５（２５ａ、２５ｂ）と、２つの絞り装置２６（２６ａ、２６ｂ）と、２つの開閉装置（開閉装置２７、開閉装置２９）と、２つの第２冷媒流路切替え装置２８（２８ａ、２８ｂ）と、２つの熱媒体搬送装置であるポンプ３１（３１ａ、３１ｂ。以下ポンプと呼ぶ）と、４つの一体化熱媒体流路切替え装置４０（４０ａ、４０ｂ、４０ｃ、４０ｄ）と、が搭載されている。
【００２８】
２つの熱媒体間熱交換器２５（熱媒体間熱交換器２５ａ、熱媒体間熱交換器２５ｂ）は、暖房運転をしている室内ユニット３に対して温熱を供給する際には凝縮器（放熱器）として、冷房運転をしている室内ユニット３に対して冷熱を供給する際には蒸発器として機能し、熱源側冷媒と熱媒体とで熱交換することで、室外ユニット１で生成され熱源側冷媒に貯えられた冷熱または温熱を熱媒体に伝達するものである。熱媒体間熱交換器２５ａは、冷媒循環流路網Ａにおける絞り装置２６ａと第２冷媒流路切替え装置２８ａとの間に設けられており、冷房暖房混在運転モード時において熱媒体の冷却に供するものである。また、熱媒体間熱交換器２５ｂは、冷媒循環流路網Ａにおける絞り装置２６ｂと第２冷媒流路切替え装置２８ｂとの間に設けられており、冷房暖房混在運転モード時において熱媒体の加熱に供するものである。
【００２９】
２つの絞り装置２６（絞り装置２６ａ、絞り装置２６ｂ）は、減圧弁または膨張弁としての機能を有し、熱源側冷媒を減圧して膨張させるものである。絞り装置２６ａは、冷房運転時の熱源側冷媒の流れにおいて熱媒体間熱交換器２５ａの上流側に設けられている。絞り装置２６ｂは、冷房運転時の熱源側冷媒の流れにおいて熱媒体間熱交換器２５ｂの上流側に設けられている。２つの絞り装置２６は、開度が可変に制御可能なもの、たとえば電子式膨張弁等で構成するとよい。
【００３０】
２つの開閉装置（開閉装置２７、開閉装置２９）は、通電により開閉動作が可能な電磁弁等で構成されており、冷媒配管４を開閉するものである。つまり、２つの開閉装置は、運転モードに応じて開閉が制御され、熱源側冷媒の流路を切り替えている。開閉装置２７は、熱源側冷媒の入口側における冷媒配管４（室外ユニット１と中継ユニット２とを接続している冷媒配管４のうち最下段に位置する冷媒配管４）に設けられている。開閉装置２９は、熱源側冷媒の入口側の冷媒配管４と出口側の冷媒配管４とを接続した配管（バイパス管２０）に設けられている。なお、開閉装置２７、開閉装置２９は、冷媒流路の切り替えが可能なものであればよく、たとえば電子式膨張弁等の開度を可変に制御が可能なものを用いてもよい。
【００３１】
２つの第２冷媒流路切替え装置２８（第２冷媒流路切替え装置２８ａ、第２冷媒流路切替え装置２８ｂ）は、たとえば四方弁等で構成され、運転モードに応じて熱媒体間熱交換器２５が凝縮器または蒸発器として作用するよう、熱源側冷媒の流れを切り替えるものである。第２冷媒流路切替え装置２８ａは、冷房運転時の熱源側冷媒の流れにおいて熱媒体間熱交換器２５ａの下流側に設けられている。第２冷媒流路切替え装置２８ｂは、全冷房運転モード時の熱源側冷媒の流れにおいて熱媒体間熱交換器２５ｂの下流側に設けられている。
【００３２】
２つのポンプ３１（ポンプ３１ａ、ポンプ３１ｂ）は、熱媒体配管５を導通する熱媒体を熱媒体循環流路網Ｂ（図２中の二点鎖線で囲った部分参照）に循環させるものである。ポンプ３１ａは、熱媒体間熱交換器２５ａと一体化熱媒体流路切替え装置４０との間における熱媒体配管５に設けられている。ポンプ３１ｂは、熱媒体間熱交換器２５ｂと一体化熱媒体流路切替え装置４０との間における熱媒体配管５に設けられている。２つのポンプ３１は、たとえば容量制御可能なポンプ等で構成し、室内ユニット３における負荷の大きさによってその流量を調整できるようにしておくとよい。
【００３３】
一体化熱媒体流路切替え装置４０は、室内ユニット３と同数備えられており、これに対応させて、上から順に、一体化熱媒体流路切替え装置４０ａ、一体化熱媒体流路切替え装置４０ｂ、一体化熱媒体流路切替え装置４０ｃ、一体化熱媒体流路切替え装置４０ｄとして図示している。この一体化熱媒体流路切替え装置４０は、それぞれが接続される室内ユニット３の運転モード（暖房運転、冷房運転）に応じて、熱媒体間熱交換器２５ａと熱媒体間熱交換器２５ｂの何れかを選択して利用側熱交換器３５に熱媒体を流し、そして、それと同時に、利用側熱交換器３５から上記で選択された熱媒体間熱交換器２５ａと熱媒体間熱交換器２５ｂの何れかに熱媒体を戻す流路切替え機能を有する。さらに、利用側熱交換器３５に流入する熱媒体と流出する熱媒体の温度により、利用側熱交換器３５に流す熱媒体の流量を制御することで、室内負荷に応じた最適な熱媒体量を提供する機能を有する。
【００３４】
また、中継ユニット２には、熱媒体間熱交換器２５の出口側における熱媒体の温度を検出するための温度センサ５５（温度センサ５５ａ、温度センサ５５ｂ）が設けられている。温度センサ５５で検出された情報（温度情報）は、空気調和装置１００の動作を統括制御する制御装置５０に送られ、圧縮機１０の駆動周波数、図示省略の送風機の回転数、第１冷媒流路切替え装置１１の切り替え、ポンプ３１の駆動周波数、第２冷媒流路切替え装置２８の切り替え、熱媒体の流路の切替え、室内ユニット３の熱媒体流量の調整等の制御に利用されることになる。
【００３５】
なお、制御装置５０が中継ユニット２内に搭載されている状態を仮定して、この場合を例に説明しているが、これに限定するものではなく、室外ユニット１または室内ユニット３、あるいは、各ユニットに通信可能に搭載して、制御するようにしてもよい。
【００３６】
また、制御装置５０は、マイコン等で構成されており、各種検出手段での検出情報及びリモコンからの指示に基づいて、圧縮機１０の駆動周波数、送風機の回転数（回転のＯＮ／ＯＦＦ含む）、第１冷媒流路切替え装置１１の切り替え、ポンプ３１の駆動、絞り装置２６の開度、開閉装置の開閉、第２冷媒流路切替え装置２８の切り替え、一体化熱媒体流路切替え装置４０の切り替え、及び駆動等、各アクチュエーター（ポンプ３１、絞り装置２６）を制御するようになっている。
【００３７】
熱媒体を導通する熱媒体配管５は、熱媒体間熱交換器２５ａに接続されるものと、熱媒体間熱交換器２５ｂに接続されるものと、で構成されている。熱媒体配管５は、中継ユニット２に接続される室内ユニット３の台数に応じて分岐（ここでは、各４分岐）されている。そして、熱媒体配管５は、一体化熱媒体流路切替え装置４０に接続されている。一体化熱媒体流路切替え装置を制御することで、熱媒体間熱交換器２５ａからの熱媒体を利用側熱交換器３５に流入させるか、熱媒体間熱交換器２５ｂからの熱媒体を利用側熱交換器３５に流入させるかが決定されるようになっている。
【００３８】
そして、空気調和装置１００では、圧縮機１０、第１冷媒流路切替え装置１１、熱源側熱交換器１２、開閉装置２７、開閉装置２９、第２冷媒流路切替え装置２８、熱媒体間熱交換器２５の冷媒流路、絞り装置２６、及び、アキュムレーター１９を、冷媒配管４で接続して冷媒循環流路網Ａを構成している。また、熱媒体間熱交換器２５の熱媒体流路（熱媒体側配管に相当）、ポンプ３１、一体化熱媒体流路切替え装置４０、利用側熱交換器３５、及び、第２熱媒体流路切替え装置３３を、熱媒体配管５で接続して熱媒体循環流路網Ｂを構成している。つまり、熱媒体間熱交換器２５のそれぞれに複数台の利用側熱交換器３５が並列に接続され、熱媒体循環流路網Ｂを複数系統としているのである。
【００３９】
よって、空気調和装置１００では、室外ユニット１と中継ユニット２とが、中継ユニット２に設けられている熱媒体間熱交換器２５ａ及び熱媒体間熱交換器２５ｂを介して接続され、中継ユニット２と室内ユニット３とが、熱媒体間熱交換器２５ａ及び熱媒体間熱交換器２５ｂを介して接続されている。すなわち、空気調和装置１００では、熱媒体間熱交換器２５ａ及び熱媒体間熱交換器２５ｂで、冷媒循環流路網Ａを循環する熱源側冷媒と熱媒体循環流路網Ｂを循環する熱媒体とが熱交換するようになっている。このような構成を用いることで、空気調和装置１００は、室内負荷に応じた最適な冷房運転または暖房運転を実現することができる。
【００４０】
［運転モード］
空気調和装置１００が実行する各運転モードについて説明する。この空気調和装置１００は、各室内ユニット３からの指示に基づいて、その室内ユニット３で冷房運転あるいは暖房運転が可能になっている。つまり、空気調和装置１００は、室内ユニット３の全部で同一運転をすることができるとともに、室内ユニット３のそれぞれで異なる運転をすることができるようになっている。
【００４１】
空気調和装置１００が実行する運転モードには、駆動している室内ユニット３の全てが暖房運転を実行する全暖房運転モード、駆動している室内ユニット３の全てが冷房運転を実行する全冷房運転モード、冷房暖房混在運転モードのうち暖房負荷よりも冷房負荷の方が大きい冷房主体運転モード、及び、冷房暖房混在運転モードのうち冷房負荷よりも暖房負荷の方が大きい暖房主体運転モードがある。以下に、各運転モードについて、熱源側冷媒及び熱媒体の流れとともに説明する。
【００４２】
［全暖房運転モード］
図３は、空気調和装置１００の全暖房運転モード時における冷媒の流れを示す冷媒流路網の構成を示す図である。ここでは、利用側熱交換器３５（３５ａ〜３５ｄ）の全部で温熱負荷が発生している場合を例に全暖房運転モードについて説明する。なお、図３では、太い破線で表された配管が熱源側冷媒の流れる配管を示している。また、熱源側冷媒の流れ方向を破線矢印で、熱媒体の流れ方向を実線矢印で示している。
【００４３】
全暖房運転モードの場合、室外ユニット１では、圧縮機１０から吐出された熱源側冷媒が熱源側熱交換器１２を経由せずに中継ユニット２へ流入するように第１冷媒流路切替え装置１１を切り替える。中継ユニット２では、ポンプ３１ａ及びポンプ３１ｂを駆動させ、熱媒体流路切替え装置３２（３２ａ〜３２ｄ）を開放する。一体化熱媒体流路切替え装置４０（４０ａ〜４０ｄ）を開放することで、熱媒体間熱交換器２５ａ及び熱媒体間熱交換器２５ｂのそれぞれと利用側熱交換器３５（３５ａ〜３５ｄ）との間を熱媒体が循環するようにしている。また、第２冷媒流路切替え装置２８ａ及び第２冷媒流路切替え装置２８ｂは暖房側に切り替えられており、開閉装置２７は閉、開閉装置２９は開となっている。
【００４４】
まず始めに、冷媒循環流路網Ａにおける熱源側冷媒の流れについて説明する。
低圧かつ低温の冷媒が圧縮機１０によって圧縮され、高圧かつ高温のガス冷媒となって吐出される。圧縮機１０から吐出された高圧かつ高温のガス冷媒は、第１冷媒流路切替え装置１１を通り、冷媒用接続配管４ａおよび逆止弁１３ｄを通過し、室外ユニット１から流出する。室外ユニット１から流出した高圧かつ高温のガス冷媒は、冷媒配管４を通って中継ユニット２に流入する。中継ユニット２に流入した高圧かつ高温のガス冷媒は、分岐されて第２冷媒流路切替え装置２８ａ及び第２冷媒流路切替え装置２８ｂを通って、熱媒体間熱交換器２５ａ及び熱媒体間熱交換器２５ｂのそれぞれに流入する。
【００４５】
熱媒体間熱交換器２５ａ及び熱媒体間熱交換器２５ｂに流入した高圧かつ高温のガス冷媒は、熱媒体循環流路網Ｂを循環する熱媒体に放熱しながら凝縮液化し、高圧の液冷媒となる。熱媒体間熱交換器２５ａ及び熱媒体間熱交換器２５ｂから流出した液冷媒は、絞り装置２６ａ及び絞り装置２６ｂで膨張させられて、低圧かつ低温の二相冷媒となる。これらの二相冷媒は、合流した後、開閉装置２９を通って、中継ユニット２から流出し、冷媒配管４を通って再び室外ユニット１へ流入する。室外ユニット１に流入した冷媒は、冷媒用接続配管４ｂおよび逆止弁１３ｂを通過して、蒸発器として作用する熱源側熱交換器１２に流入する。
【００４６】
そして、熱源側熱交換器１２に流入した熱源側冷媒は、熱源側熱交換器１２で室外空間６の空気（以下、外気と称する）から吸熱して、低圧かつ低温のガス冷媒となる。熱源側熱交換器１２から流出した低圧かつ低温のガス冷媒は、第１冷媒流路切替え装置１１及びアキュムレーター１９を介して圧縮機１０へ再度、吸入される。
【００４７】
一般に暖房もしくは冷房する際の省エネルギー化を目的に、熱源側冷媒と負荷側の媒体（この場合は熱媒体）の温度差を一定に保つ手法を用いるが、本実施の形態において、熱媒体間熱交換器２５と絞り装置２６との間を流れる熱源側冷媒の圧力を飽和温度に換算した値と、熱媒体間熱交換器２５の出口側の温度との差として得られるサブクール（過冷却度）が一定になるように絞り装置２６の開度が制御される。なお、熱媒体間熱交換器２５の中間位置の温度が測定できる場合は、換算した飽和温度の代わりに、その中間位置での温度を用いてもよい。この場合、圧力センサを設置しなくて済み、安価にシステムを構成できる。
【００４８】
次に、熱媒体循環流路網Ｂにおける熱媒体の流れについて説明する。
全暖房運転モードでは、熱媒体間熱交換器２５ａ及び熱媒体間熱交換器２５ｂの双方で熱源側冷媒の温熱が熱媒体に伝えられ、暖められた熱媒体がポンプ３１ａ及びポンプ３１ｂによって熱媒体配管５内を流動させられることになる。ポンプ３１ａ及びポンプ３１ｂで加圧されて流出した熱媒体は、一体化熱媒体流路切替え装置４０を介して、利用側熱交換器３５（３５ａ〜３５ｄ）に流入する。そして、熱媒体が利用側熱交換器３５（３５ａ〜３５ｄ）で室内空気に放熱することで、室内空間７の暖房を行なう。
【００４９】
その後、熱媒体は、利用側熱交換器３５（３５ａ〜３５ｄ）から流出して一体化熱媒体流路切替え装置４０へ再度、流入する。このとき、一体化熱媒体流路切替え装置４０の流量調整作用によって、熱媒体の流量が室内にて必要とされる空調負荷を賄うのに必要な流量に制御されて利用側熱交換器３５（３５ａ〜３５ｄ）に流入するようになっている。一体化熱媒体流路切替え装置４０から流出した熱媒体は、熱媒体間熱交換器２５ａ及び熱媒体間熱交換器２５ｂへ流入し、室内ユニット３を通じて室内空間７へ供給した分の熱量を冷媒側から受け取り、再びポンプ３１ａ及びポンプ３１ｂへ吸い込まれる。
【００５０】
なお、室内空間７にて必要とされる空調負荷は、温度センサ５５ａで検出された温度、あるいは、温度センサ５５ｂで検出された温度と利用側熱交換器３５から流出した熱媒体の温度との差を目標値に保つように一体化熱媒体流路切替え装置４０によって制御することにより、賄うことができる。熱媒体間熱交換器２５（２５ａ、２５ｂ）の出口温度は、温度センサ５５ａまたは温度センサ５５ｂのどちらの温度を使用してもよいし、これらの平均温度を使用してもよい。
【００５１】
このとき、一体化熱媒体流路切替え装置４０は、熱媒体間熱交換器２５ａ及び熱媒体間熱交換器２５ｂの双方へ流れる流路が確保されるように、熱媒体間熱交換器２５ａ及び熱媒体間熱交換器２５ｂの出口の熱媒体温度に応じた開度に制御されている。また、本来、利用側熱交換器３５は、その入口と出口の温度差で制御すべきであるが、利用側熱交換器３５の入口側の熱媒体温度は、温度センサ５５ｂで検出された温度とほとんど同じ温度であり、温度センサ５５ｂを使用することにより温度センサの数を減らすことができ、安価にシステムを構成できる。
【００５２】
全暖房運転モードを実行する際、熱負荷のない利用側熱交換器３５（サーモオフを含む）へは熱媒体を流す必要がないため、一体化熱媒体流路切替え装置４０により流路を閉じて、利用側熱交換器３５へ熱媒体が流れないようにする。図３においては、利用側熱交換器３５（３５ａ〜３５ｄ）の全部において熱負荷があるため熱媒体を流しているが、熱負荷がなくなった場合には対応する一体化熱媒体流路切替え装置４０を全閉すればよい。そして、再度、熱負荷の発生があった場合には、対応する一体化熱媒体流路切替え装置４０を開放し、熱媒体を循環させればよい。これについては、以下で説明する他の運転モードでも同様である。
【００５３】
［全冷房運転モード］
図４は、空気調和装置１００の全冷房運転モード時における冷媒の流れを示す冷媒流路の構成を示す図である。ここでは、利用側熱交換器３５（３５ａ〜３５ｄ）の全部で冷熱負荷が発生している場合を例に全冷房運転モードについて説明する。なお、図４では熱源側冷媒の流れ方向を破線矢印で、熱媒体の流れ方向を実線矢印で示している。
【００５４】
全冷房運転モードの場合、室外ユニット１では第１冷媒流路切替え装置１１を圧縮機１０から吐出された熱源側冷媒を熱源側熱交換器１２へ流入させるように切り替える。
【００５５】
中継ユニット２では、ポンプ３１ａおよびポンプ３１ｂを駆動させ、一体化熱媒体切替え装置４０を開放し、熱媒体間熱交換器２５ａおよび熱媒体間熱交換器２５ｂのそれぞれと利用側熱交換器３５（３５ａ〜３５ｄ）との間を熱媒体が循環するようにしている。また、このときの一体化熱媒体流路切替え装置４０は冷房側に切り替えられており、開閉装置２７は開、開閉装置２９は閉となっている。
【００５６】
まず始めに、冷媒循環流路網Ａにおける熱源側冷媒の流れについて説明する。
低圧かつ低温の冷媒が圧縮機１０によって圧縮され、高圧かつ高温のガス冷媒となって吐出される。圧縮機１０から吐出された高圧かつ高温のガス冷媒は、第１冷媒流路切替え装置１１を通り、熱源側熱交換器１２を通過し、外気との熱交換を行い、高圧かつ高温の液または二相冷媒となり、逆止弁１３ａを通過した後、冷媒配管４を導通し室外ユニット１から流出する。室外ユニット１から流出した高圧かつ高温の液または二相冷媒は、冷媒配管４を通って中継ユニット２に流入する。中継ユニット２に流入した高圧かつ高温の液または二相冷媒は、開閉装置２７を通過した後、分岐されて絞り装置２６ａおよび絞り装置２６ｂで膨張させられて、低温かつ低圧の二相冷媒となる。これらの二相冷媒は、熱媒体循環流路網Ｂを循環する熱媒体から吸熱しながら蒸発気化し、低温のガス冷媒となる。熱媒体間熱交換器２５ａおよび熱媒体間熱交換器２５ｂから流出したガス冷媒は、第２冷媒流路切替え装置２８ａおよび第２冷媒流路切替え装置２８ｂを通って中継ユニット２から流出し、冷媒用接続配管４ｂ、逆止弁１３ｂを通過して第１冷媒流路切替え装置１１およびアキュムレーター１９を介して圧縮機１０へ再度、吸入される。
このとき絞り装置２６（２６ａ、２６ｂ）は、熱媒体間熱交換器２５と絞り装置２６との間を流れる熱源側冷媒の圧力を飽和温度換算した値と、熱媒体間熱交換器２５の出口側の温度との差として得られるスーパーヒート（過熱度）が一定になるように開度が制御される。なお、熱媒体間熱交換器２５の中間位置の温度が測定できる場合は、その中間位置での温度を換算した飽和温度を変わりに用いてもよい。この場合、圧力センサを設置しなくて済み、安価にシステムを構成できる。
【００５７】
次に熱媒体循環流路網Ｂにおける熱媒体の流れについて説明する。
全冷房運転モードでは、熱媒体間熱交換器２５ａおよび熱媒体間熱交換器２５ｂの双方で熱源側冷媒へ熱媒体の温熱が伝えられ、冷却された熱媒体がポンプ３１ａおよびポンプ３１ｂで加圧されて流出した熱媒体は、一体化熱媒体流路切替え装置４０を介して、利用側熱交換器３５（３５ａ〜３５ｄ）に流入する。そして、熱媒体が利用側熱交換器３５（３５ａ〜３５ｄ）で室内空気から吸熱することで、室内空間７の冷房を行う。
【００５８】
それから、熱媒体は、利用側熱交換器３５（３５ａ〜３５ｄ）から流出して一体化熱媒体流路切替え装置４０（４０ａ〜４０ｄ）に流入する。このとき、一体化熱媒体流路切替え装置の作用によって、熱媒体の流量他、室内にて必要とされる空調負荷を賄うのに必要な流量に制御されて利用側熱交換器３５（３５ａ〜３５ｄ）に流入するようになっている。一体化熱媒体流路切替え装置４０（４０ａ〜４０ｄ）から流出した熱媒体は熱媒体間熱交換器２５ａおよび熱媒体間熱交換器２５ｂへ流入し、室内ユニット３を通じて室内空間７から吸熱した分の熱量を冷媒側へ渡し、再びポンプ３１ａおよびポンプ３１ｂへ吸込まれる。
【００５９】
なお、利用側熱交換器３５の熱媒体配管５内では一体化熱媒体流路切替え装置４０から第１熱媒体流路切替え装置３２へ到る向きに熱媒体が流れている。また、室内空間７にて必要とされる空調負荷は、温度センサ５５ａで検出された温度、あるいは、温度センサ５５ｂで検出された温度と利用側熱交換器３５から流出した熱媒体の温度との差を目標値に保つように制御することにより、賄うことができる。熱媒体間熱交換器２５の出口温度は、温度センサ５５ａまたは温度センサ５５ｂのどちらの温度を使用してもよいし、これらの平均温度を使用してもよい。
【００６０】
このとき、一体化熱媒体流路切替え装置４０は、熱媒体間熱交換器２５ａ及び熱媒体間熱交換器２５ｂの双方へ流れる流路が確保されるように、熱媒体間熱交換器２５ａ及び熱媒体間熱交換器２５ｂの出口の熱媒体温度に応じた開度に制御されている。また、本来、利用側熱交換器３５は、その入口と出口の温度差で制御すべきであるが、利用側熱交換器３５の入口側の熱媒体温度は、温度センサ５５ｂで検出された温度とほとんど同じ温度であり、温度センサ５５ｂを使用することにより温度センサの数を減らすことができ、安価にシステムを構成できる。
【００６１】
［混在運転モード］
図５は、空気調和装置１００の混在運転モード時における冷媒の流れを示す冷媒流路の構成を示す図である。この図５では、利用側熱交換器３５のうちのいずれかで温熱負荷が発生し、残りで冷熱負荷が発生している混在運転のうち、暖房主体運転モードについて説明する。なお、図５では、太い破線で表された配管が熱源側冷媒の循環する配管を示している。また、熱源側冷媒の流れ方向を破線矢印で、熱媒体の流れ方向を実線矢印で示している。
【００６２】
図５に示す暖房主体運転モードの場合、室外ユニット１では、熱源側熱交換器１２を経由させずに、中継ユニット２へ圧縮機１０から吐出された熱源側冷媒を流入させるように、第１冷媒流路切替え装置１１を切り替える。中継ユニット２では、ポンプ３１ａ及びポンプ３１ｂを駆動させ、一体化熱媒体流路切替え装置４０（４０ａ〜４０ｄ）を開放し、熱媒体間熱交換器２５ａと冷熱負荷が発生している利用側熱交換器３５との間を、熱媒体間熱交換器２５ｂと温熱負荷が発生している利用側熱交換器３５との間を、それぞれ熱媒体が循環するようにしている。また、第２冷媒流路切替え装置２８ａは冷房側、第２冷媒流路切替え装置２８ｂは暖房側に切り替えられており、絞り装置２６ａは全開、開閉装置２７は閉、開閉装置２９は閉となっている。
【００６３】
まず始めに、冷媒循環流路網Ａにおける熱源側冷媒の流れについて説明する。
低温かつ低圧の冷媒が圧縮機１０によって圧縮され、高圧かつ高温のガス冷媒となって吐出される。圧縮機１０から吐出された高圧かつ高温のガス冷媒は、第１冷媒流路切替え装置１１を通り、冷媒用接続配管４ａを導通し、逆止弁１３ｄを通過し、室外ユニット１から流出する。室外ユニット１から流出した高圧かつ高温のガス冷媒は、冷媒配管４を通って中継ユニット２に流入する。中継ユニット２に流入した高圧かつ高温のガス冷媒は、第２冷媒流路切替え装置２８ｂを通って凝縮器として作用する熱媒体間熱交換器２５ｂに流入する。
【００６４】
熱媒体間熱交換器２５ｂに流入したガス冷媒は、熱媒体循環流路網Ｂを循環する熱媒体に放熱しながら凝縮液化し、液冷媒となる。熱媒体間熱交換器２５ｂから流出した液冷媒は、絞り装置２６ｂで膨張させられて低圧二相冷媒となる。この低圧二相冷媒は、絞り装置２６ａを介して蒸発器として作用する熱媒体間熱交換器２５ａに流入する。熱媒体間熱交換器２５ａに流入した低圧二相冷媒は、熱媒体循環流路網Ｂを循環する熱媒体から吸熱することで蒸発し、熱媒体を冷却する。この低圧二相冷媒は、熱媒体間熱交換器２５ａから流出し、第２冷媒流路切替え装置２８ａを介して中継ユニット２から流出し、冷媒配管４を通って再び室外ユニット１へ流入する。
【００６５】
室外ユニット１に流入した低圧かつ低温の二相冷媒は、逆止弁１３ｂを通って、蒸発器として作用する熱源側熱交換器１２に流入する。そして、熱源側熱交換器１２に流入した冷媒は、熱源側熱交換器１２で外気から吸熱して、低圧かつ低温のガス冷媒となる。熱源側熱交換器１２から流出した低圧かつ低温のガス冷媒は、第１冷媒流路切替え装置１１及びアキュムレーター１９を介して圧縮機１０へ再度、吸入される。
【００６６】
なお、絞り装置２６ｂは、熱媒体間熱交換器２５ｂの出口冷媒のサブクール（過冷却度）が目標値になるように開度が制御される。なお、絞り装置２６ｂを全開とし、絞り装置２６ａで、サブクールを制御するようにしてもよい。
【００６７】
次に、熱媒体循環流路網Ｂにおける熱媒体の流れについて説明する。
第１暖房主体運転モードでは、熱媒体間熱交換器２５ｂで熱源側冷媒の温熱が熱媒体に伝えられ、暖められた熱媒体がポンプ３１ｂによって熱媒体配管５内を流動させられることになる。また、第１暖房主体運転モードでは、熱媒体間熱交換器２５ａで熱源側冷媒の冷熱が熱媒体に伝えられ、冷やされた熱媒体がポンプ３１ａによって熱媒体配管５内を流動させられることになる。ポンプ３１ａで加圧されて流出した冷やされた熱媒体は、冷熱負荷が発生している利用側熱交換器３５に一体化熱媒体流路切替え装置４０を介して流入し、ポンプ３１ｂで加圧されて流出した熱媒体は、温熱負荷が発生している利用側熱交換器３５に一体化熱媒体流路切替え装置４０を介して流入する。
【００６８】
このとき、一体化熱媒体流路切替え装置４０は、接続されている室内ユニット３が暖房運転モードであるときは、熱媒体間熱交換器２５ｂ及びポンプ３１ｂが接続されている方向に切替えられ、接続されている室内ユニット３が冷房運転モードであるときは、熱媒体間熱交換器２５ａ及びポンプ３１ａが接続されている方向に切替えられる。すなわち、一体化熱媒体流路切替え装置４０によって、室内ユニット３へ供給する熱媒体を暖房用または冷房用に切り替えることを可能としている。
【００６９】
利用側熱交換器３５では、熱媒体が室内空気から吸熱することによる室内空間７の冷房運転、または、熱媒体が室内空気に放熱することによる室内空間７の暖房運転を行なう。このとき、一体化熱媒体流路切替え装置４０の作用によって熱媒体の流量が室内にて必要とされる空調負荷を賄うのに必要な流量に制御されて利用側熱交換器３５に流入するようになっている。
【００７０】
冷房運転に利用され、利用側熱交換器３５を通過し若干温度が上昇した熱媒体は、一体化熱媒体流路切替え装置４０を通って、熱媒体間熱交換器２５ａに流入し、再びポンプ３１ａへ吸い込まれる。暖房運転に利用され、利用側熱交換器３５を通過し若干温度が低下した熱媒体は、一体化熱媒体流路切替え装置４０を通って、熱媒体間熱交換器２５ｂへ流入し、再びポンプ３１ｂへ吸い込まれる。
【００７１】
この間、暖かい熱媒体と冷たい熱媒体とは、一体化熱媒体流路切替え装置４０の作用により、混合することなく、それぞれ温熱負荷、冷熱負荷がある利用側熱交換器３５へ導入される。これにより、暖房運転モードで利用された熱媒体を暖房用途として冷媒から熱を与えている熱媒体間熱交換器２５ｂへ、冷房運転モードで利用された熱媒体を冷房用途として冷媒が熱を受け取っている熱媒体間熱交換器２５ａへと流入させ、再度、それぞれが冷媒と熱交換を行なった後、ポンプ３１ａ及びポンプ３１ｂへと搬送される。
【００７２】
なお、室内空間７にて必要とされる空調負荷は、暖房側においては温度センサ５５ｂで検出された温度と利用側熱交換器３５から流出した熱媒体の温度との差を、冷房側においては利用側熱交換器３５から流出した熱媒体の温度と温度センサ５５ａで検出された温度との差を目標値として保つように制御することにより、賄うことができる。
【００７３】
図６に空気調和装置１００での中継ユニット２における一体化熱媒体流路切替え装置４０の構成概念図を示す。
【００７４】
図６における空気調和装置１００での中継ユニット２（図示せず）における一体化熱媒体流路切替え装置４０は中継ユニット２に接続される室内ユニットそれぞれに対して１つずつ接続されるように構成されており、本図においては４０ａ〜４０ｄにて構成されている。なお、ここでは接続台数を４台としているが、これに限らず所望の台数に増設可能である。
【００７５】
一体化熱媒体流路切替え装置４０はそれぞれ１つの駆動装置４１（４１ａ〜４１ｄ）が搭載され、室内ユニット搬送用配管４７、室内ユニット戻り配管４８が接続されている。そして、冷房用熱媒体搬送用主管４２と冷房用熱媒体戻り主管４３を介して熱媒体間熱交換器２５ａ（図示せず）、暖房用熱媒体搬送用主管４４と暖房用熱媒体戻り主管４５を介して熱媒体間熱交換器２５ｂ（図示せず）に連結されている。
【００７６】
図７に一体化熱媒体流路切替え装置４０の断面図を示す。一体化熱媒体流路切替え装置の内部には熱媒体流路切替え弁４６を有しており、本熱媒体流路切替え弁４６は内部長手方向に仕切り６０を備えている。これにより、熱媒体流路切替え弁４６の内部で、熱媒体間熱交換器２５（図示せず）から室内ユニット３（図示せず）に熱媒体を搬送する流路と、室内ユニット３（図示せず）から熱媒体間熱交換器２５（図示せず）に熱媒体を戻す流路の、異なる２つの流路を形成している。そして、駆動装置４１が動作することにより、熱媒体流路切替え弁４６が回転し、熱媒体流路切替え弁の側壁に設けた穴を通して流す熱媒体の種類、すなわち熱媒体間熱交換器２５ａ（図示せず）あるいは熱媒体間熱交換器２５ｂ（図示せず）のどちらか一方の熱媒体を選択して流すことができる。ここで、駆動装置４１はステッピングモータ等の回転角度を任意に制御できる装置を用いることで、熱媒体流路切替え弁４６の側壁の穴と冷房用熱媒体搬送用主管４２（冷房用熱媒体戻り主管４３）もしくは暖房用熱媒体搬送用主管４４（暖房用熱媒体戻り主管４５）との開口面積を制御し、流量調整も同時に行うことが出来る。
【００７７】
これにより、一体化熱媒体流路切替え装置４０を中継ユニット２（図示せず）に接続される室内ユニット３（図示せず）それぞれに対して１つずつ備えることで、それぞれの室内ユニット３に対して、熱媒体の種類および流量を独立して制御することが可能となる。
【００７８】
次に、室内ユニット３（図示せず）の運転モードによる、一体化熱媒体流路切替え装置４０の動作および内部での熱媒体の流れについて説明する。ここでは、上記混在運転モードの場合について説明し、全暖房運転モードは冷房用熱媒体搬送用主管４２、冷房用熱媒体戻り主管４３に暖房用熱媒体を、全冷房運転モードは暖房用熱媒体搬送用主管４４、暖房用熱媒体戻り主管４５に冷房用熱媒体を流した場合であり、一体化熱媒体流路切替え装置４０の動作および内部での熱媒体の流れについては同じであるため説明を省略する。
【００７９】
[冷房運転モード]
図８は、室内ユニット３（図示せず）が冷房運転モードの場合であり、冷房用熱媒体搬送用主管４２、冷房用熱媒体戻り主管４３、室内ユニット搬送用配管４７、室内ユニット戻り配管４８の熱媒体の流れ方向を白抜き実線矢印で示している。なお、暖房用熱媒体搬送用主管４４、暖房用熱媒体戻り主管４５の内部にも、熱媒体が常時流れているのが通常であるため、これらの主管での熱媒体の流れ方向を同様に白抜き実線矢印で示している。
【００８０】
図９は、室内ユニット３が冷房運転モードの一体化熱媒体流路切替え装置４０の断面図であり、熱媒体の流れ方向を実線矢印で示している。
【００８１】
冷房運転モードの場合、熱媒体は、熱媒体間熱交換器２５ａ（図示せず）によって熱源側冷媒へ温熱を伝え、冷却された後、ポンプ３１で加圧、流出され、冷房用熱媒体搬送用主管４２を通して一体化熱媒体流路切替え装置４０へ流入する。室内ユニット３（図示せず）を冷房運転、即ち冷却された熱媒体を室内ユニット３（図示せず）へ搬送するために、一体化熱媒体流路切替え装置４０が備えている熱媒体流路切替え弁４６を駆動装置４１により、冷房用熱媒体搬送用主管４２と室内ユニット搬送用配管４７、および冷房用熱媒体戻り主管４３と室内ユニット戻り配管４８、が連通するように回転させる。それにより、冷房用熱媒体搬送用主管４２を流れる熱媒体は熱媒体流路切替え弁４６を通過し、室内ユニット搬送用配管４７を通して室内ユニット３（図示せず）へと搬送されることとなる。
【００８２】
そして、室内ユニット３（図示せず）内の利用側熱交換器３５（図示せず）にて室内空間との熱交換を行った熱媒体は、室内ユニット戻り配管４８を通して再度、一体化熱媒体流路切替え装置４０へと流入し、冷房用熱媒体戻り主管４３を通して熱媒体間熱交換器２５ａ（図示せず）に戻る。
【００８３】
このとき、室内ユニット３（図示せず）から戻ってきた熱媒体は、図９に示すように、室内ユニット３へ向かうために熱媒体流路切替え弁４６へ流入した熱媒体と仕切り６０を隔てて隣接する。
【００８４】
熱媒体間熱交換器２５ａ（図示せず）へ戻った熱媒体は熱源側冷媒へ温熱を伝え、冷却され、再度、冷房用熱媒体搬送用主管４２を通して一体化熱媒体流路切替え装置４０へと流入することとなる。
【００８５】
以上が、室内ユニット３（図示せず）が冷房運転を実施している時の一体化熱媒体流路切替え装置４０の動作および内部での熱媒体の流れであるが、冷房運転時の熱媒体流路切替え弁４６においては、中継ユニット２（図示せず）内に備えている温度センサ５５（図示せず）と利用側熱交換器３５（図示せず）から検出した熱媒体の温度との差を目標値に保つように、熱媒体流路切替え弁４６と冷房用熱媒体搬送用主管４２（冷房用熱媒体戻り主管４３）との開口面積を駆動装置４１により制御し、室内ユニット３を流れる熱媒体の流量を調整することで、室内空間の温度を制御している。
【００８６】
[暖房運転モード]
図１０は、室内ユニット３（図示せず）が暖房運転モードの場合であり、暖房用熱媒体搬送用主管４４、暖房用熱媒体戻り主管４５、室内ユニット搬送用配管４７、室内ユニット戻り配管４８の熱媒体の流れ方向を白抜き実線矢印で示している。なお、冷房用熱媒体搬送用主管４２、冷房用熱媒体戻り主管４３の内部にも、熱媒体が常時流れているのが通常であるため、これらの主管での熱媒体の流れ方向を同様に白抜き実線矢印で示している。
【００８７】
図１１は、室内ユニット３（図示せず）が暖房運転モードの場合における一体化熱媒体流路切替え装置４０の断面図であり、熱媒体の流れ方向を実線矢印で示している。
【００８８】
暖房運転モードの場合、熱媒体は、熱媒体間熱交換器２５ｂ（図示せず）によって熱源側冷媒から温熱をもらい、加熱された後、ポンプ３１（図示せず）で加圧、流出され、暖房用熱媒体搬送用主管４４を通じて一体化熱媒体流路切替え装置４０へ流入する。室内ユニット３（図示せず）を暖房運転、即ち加熱された熱媒体を室内ユニット３へ搬送するために、一体化熱媒体流路切替え装置４０が備えている熱媒体流路切替え弁４６を駆動装置４１により回転させ、仕切り６０により、暖房用熱媒体搬送用主管４４と室内ユニット搬送用配管４７、および暖房用熱媒体戻り主管４５と室内ユニット戻り配管４８を連通させる。それにより、暖房用熱媒体搬送用主管４４を流れる熱媒体は熱媒体流路切替え弁４６を通過し、室内ユニット搬送用配管４７を通じて室内ユニット３へと搬送されることとなる。
【００８９】
そして、室内ユニット３（図示せず）内の利用側熱交換器３５（図示せず）にて室内空間との熱交換を行った熱媒体は、室内ユニット戻り配管４８を通して再度、一体化熱媒体流路切替え装置４０へと流入し、暖房用熱媒体戻り主管４５を通って熱媒体間熱交換器２５ｂ（図示せず）に戻る。
【００９０】
このとき、室内ユニット３（図示せず）から戻ってきた熱媒体は、図１１に示すように室内ユニット３へ向かうために熱媒体流路切替え弁４６へ流入し、仕切り６０を隔てて隣接する状態となっている。
【００９１】
熱媒体間熱交換器２５ｂ（図示せず）へ戻った熱媒体は、熱源側冷媒から温熱を受け取り、過熱され、再度、暖房用熱媒体搬送用主管４４を通して一体化熱媒体流路切替え装置４０へと流入することとなる。
【００９２】
以上が、室内ユニット３（図示せず）が暖房運転を実施している時の一体化熱媒体流路切替え装置４０の動作および内部での熱媒体の流れであるが、暖房運転時の熱媒体流路切替え弁４６においては、中継ユニット２（図示せず）内に備えている温度センサ５５（図示せず）と利用側熱交換器３５（図示せず）から検出した熱媒体の温度との差を目標値に保つように、熱媒体流路切替え弁４６と暖房用熱媒体搬送用主管４４（暖房用熱媒体戻り主管４５）との開口面積を駆動装置４１により制御し、室内ユニット３を流れる熱媒体の流量を調整することで、室内空間の温度を制御している。
【００９３】
[停止モード]
図１２は、室内ユニット３（図示せず）が停止モードの場合であり、冷房用熱媒体搬送用主管４２、冷房用熱媒体戻り主管４３、暖房用熱媒体搬送用主管４４、暖房用熱媒体戻り主管４５の熱媒体の流れ方向を白抜き実線矢印で示している。上述の他の運転モードと異なり、室内ユニット搬送用配管４７、室内ユニット戻り配管４８の熱媒体の流動は停止している。
【００９４】
図１３は、室内ユニット３が停止モードの場合の一体化熱媒体流路切替え装置４０の断面図であり、図１１と同じく熱媒体の流れ方向を実線矢印で示している。
【００９５】
停止モードの場合、室内ユニット３（図示せず）においては、熱媒体を室内ユニット３に搬送することなく、室内空気と熱交換を行わないようにする必要がある。そのため、一体化熱媒体流路切替え装置４０においては、熱媒体流路切替え弁４６を冷房用熱媒体搬送用主管４２、冷房用熱媒体戻り主管４３、暖房用熱媒体搬送用主管４４、暖房用熱媒体戻り主管４５の全てに対して開口部がない状態、即ち熱媒体流路切替え弁４６を冷房運転モードと暖房運転モードの中間の開度へと調整する。
【００９６】
これにより、中継ユニット２（図示せず）に接続されている複数の室内ユニット３（図示せず）の内、特定の室内ユニット３および熱媒体配管５（図示せず）の熱媒体の搬送を閉止することが出来る。
【００９７】
上記において、室内ユニット３（図示せず）の冷房運転モード、暖房運転モード、停止モードについて述べてきたが、本実施の形態１では一体化熱媒体流路切替え装置４０を室内ユニット３それぞれに対して１つずつ備えていることから、室内ユニット毎に異なる運転を同時に実現することが出来る。
【００９８】
これにより、中継ユニット２（図示せず）内の熱媒体流路を構成する部品の交換あるいはメンテナンス、さらには中継ユニット２に接続されている複数の室内ユニット３（図示せず）のうち１台以上の交換を行う場合でも、他の室内ユニット３を運転しながら行うことができることから、作業効率が向上するという効果もある。
【００９９】
熱媒体としては、たとえばブライン（不凍液）または水、ブラインと水の混合液、水と防食効果が高い添加剤の混合液等を用いることができる。したがって、空気調和装置１００（図示せず）においては、熱媒体が室内ユニット３（図示せず）を介して室内空間７（図示せず）に漏洩したとしても、熱媒体に安全性の高いものを使用しているため安全性の向上に寄与することになる。
【０１００】
以上のように、本実施の形態１では、空気調和装置１００にアキュムレーター１９を含めている場合を例に説明したが、アキュムレーター１９を設けなくても同様の効果を奏する。また、一般的に、熱源側熱交換器１２及び利用側熱交換器３５には、送風機が取り付けられており、送風により凝縮あるいは蒸発を促進させる場合が多いが、これに限るものではない。たとえば、利用側熱交換器３５としては放射を利用したパネルヒーターのようなものを用いることもできるし、熱源側熱交換器１２としては、水または不凍液により熱を移動させる水冷式のタイプのものを用いることもできる。つまり、熱源側熱交換器１２及び利用側熱交換器３５としては、放熱あるいは吸熱をできる構造のものであれば種類を問わず、用いることができる。
【０１０１】
また、第２冷媒流路切替え装置２８（図示せず）が四方弁であるかのように示したが、これに限るものではなく、二方流路切替え弁あるいは三方流路切替え弁を複数個用い、同じように冷媒が流れるように構成してもよい。
【０１０２】
また、駆動装置４１はステッピングモータ等の回転角度を任意に制御できる装置を用いると記載しているが、これに限らない。例えば流量調整が不要な場合においては、単に切替えが可能である装置（ＯＮ/ＯＦＦ電源等）を用いても良い。
【０１０３】
また、利用側熱交換器３５が４つである場合を例に説明したが、個数を特に限定するものではなく、必要に応じて増設可能である。
【０１０４】
また、熱媒体間熱交換器２５（図示せず）が２つである場合を例に説明したが、これに限るものではなく、熱媒体を冷却または加熱できるように構成すれば、幾つ設置してもよい。さらに、ポンプ３１ａ、ポンプ３１ｂ（図示せず）はそれぞれ一つとは限らず、複数の小容量のポンプを並列に並べて接続してもよい。
【０１０５】
また、利用側熱交換器３５（図示せず）と同数の一体化熱媒体流路切替え装置４０を設けた例について説明したが、これに限らず、一体化熱媒体流路切替え装置４０に複数の利用側熱交換器３５を接続してもよい。
【０１０６】
以上のように、本実施の形態１に係る空気調和装置１００は、室内ユニット３に流す熱媒体切替え機能および流量調整機能を兼ね備えた一体化熱媒体流路切替え装置４０を備えることで、熱媒体制御部品（熱媒体流路切替え装置、熱媒体流量調整装置）の数量、駆動装置、配管および締結部品等の種々の部品が削減でき、装置の小型化または製造コストの削減ができる。また、室内ユニット３に流す熱媒体の切替え機能および流量調整機能を単一の駆動装置４１で同時制御できることから、運転動力が削減され、省エネ性が向上する。
さらには、一体化熱媒体流路切替え装置４０を、中継ユニット２に接続された停止モード中の室内ユニット３に対して熱媒体の搬送を行わないように閉止することで、熱媒体搬送装置であるポンプ３１の搬送動力を削減することが出来ると共に、部品交換時あるいはメンテナンス時においての熱媒体排出量の削減にも繋がり、工事（作業）の効率が向上する。
【０１０７】
実施の形態２．
以下、本願発明の実施の形態２における空気調和装置２００について説明する。本実施の形態２の空気調和装置２００と上記実施の形態１の空気調和装置１００の差異は、一体化熱媒体流路切替え装置４０の構造であり、流路の構成あるいは運転モードおよび、一体化熱媒体流路切替え装置の運転モードは同様のため、同一部分もしくは相当部分は同一符号を付し説明を省略する。
【０１０８】
図１４に本願発明の実施の形態２における空気調和装置２００での中継ユニット２における一体化熱媒体流路切替え装置４０の構成概念図を示す。また、図１５に、一つの駆動装置４１ｄを備えた一体化熱媒体流路切替え装置４０ｄの断面図を示す。
【０１０９】
これらの図において、一体化熱媒体流路切替え装置４０ａ〜４０ｄはそれぞれ一つの駆動装置４１ａ〜４１ｄと、冷房用熱媒体搬送用主管４２、冷房用熱媒体戻り主管４３、暖房用熱媒体搬送用主管４４、暖房用熱媒体戻り主管４５等で構成されている。そして、冷房用熱媒体搬送用主管４２、冷房用熱媒体戻り主管４３、暖房用熱媒体搬送用主管４４、暖房用熱媒体戻り主管４５が、それぞれ連通されるように隣接して配置されている。
【０１１０】
これにより、実施の形態１のように一体化熱媒体流路切替え装置４０と別に冷房用熱媒体搬送用主管４２、冷房用熱媒体戻り主管４３、暖房用熱媒体搬送用主管４４、暖房用熱媒体戻り主管４５を設ける必要がなく、部品点数を削減することができる。これにより、実施の形態１に比べて、更なる装置の小型化、および製造コストの削減が実現できる。
【０１１１】
実施の形態３．
以下、本願発明の実施の形態３における空気調和装置３００について説明する。本実施の形態３の空気調和装置３００と上記実施の形態１の空気調和装置１００の差異は、冷房用熱媒体搬送用主管４２、冷房用熱媒体戻り主管４３、暖房用熱媒体搬送用主管４４、暖房用熱媒体戻り主管４５の構造であり、流路の構成あるいは運転モードおよび、一体化熱媒体流路切替え装置の運転モードは同様のため、同一部分もしくは相当部分は同一符号を付し説明を省略する。
【０１１２】
図１６に本願発明の実施の形態３における空気調和装置３００での中継ユニット２における一体化熱媒体流路切替え装置４０の構成概念図を示す。この一体化熱媒体流路切替え装置４０の冷房用熱媒体搬送用主管４２、冷房用熱媒体戻り主管４３、暖房用熱媒体搬送用主管４４、暖房用熱媒体戻り主管４５は長手方向に分割されていることを特徴とする。
【０１１３】
これにより、部品交換時あるいはメンテナンス時の分解が、実施の形態１に比べて容易に実現できる。また、建物９の改築等により空気調和を要する室内空間が増減した場合でも、一体化熱媒体流路切替え装置４０の数量変更が容易に実現できる。
【０１１４】
なお、単一の冷房用熱媒体搬送用主管４２、冷房用熱媒体戻り主管４３、暖房用熱媒体搬送用主管４４、暖房用熱媒体戻り主管４５に対して一体化熱媒体流路切替え装置４０を設ける数量に制約はないが、分解性を考慮すると１〜３個が好ましい。複数の冷房用熱媒体搬送用主管４２、冷房用熱媒体戻り主管４３、暖房用熱媒体搬送用主管４４、暖房用熱媒体戻り主管４５を組み合わせることで一体化熱媒体流路切替え装置４０の数量を自由に変更することができる。
【０１１５】
なお、本発明は、その発明の範囲内において、各実施の形態を自由に組み合わせたり、各実施の形態を適宜、変形、省略することが可能である。例えば、絞り装置、熱媒体間熱交換器、ポンプは各々複数設けられている場合について示したが、これに限らず、これら３種類の構成要素のうち、いずれか１つが単数の場合、いずれか２つが単数の場合、すべてが単数の場合のいずれのケースでも適用可能である。また、駆動装置は一体化熱媒体流路切替え装置にそれぞれ１つの駆動装置を設けた場合を例に示したが、これに限らず、一体化熱媒体流路切替え装置全体で１台であっても適用可能である。
【符号の説明】
【０１１６】
１  室外ユニット、２  中継ユニット、３  室内ユニット、３ａ  室内ユニット、３ｂ  室内ユニット、３ｃ  室内ユニット、３ｄ  室内ユニット、４  冷媒配管、４ａ  冷媒用接続配管、４ｂ  冷媒用接続配管、５  熱媒体配管、６  室外空間、７  室内空間、８  天井裏、９  建物、１０  圧縮機、１１  第１冷媒流路切替え装置、１２  熱源側熱交換器、１３ａ  逆止弁、１３ｂ  逆止弁、１３ｃ  逆止弁、１３ｄ  逆止弁、１９  アキュムレーター、２０  バイパス管、２５  熱媒体間熱交換器、２５ａ  熱媒体間熱交換器、２５ｂ  熱媒体間熱交換器、２６  絞り装置、２６ａ  絞り装置、２６ｂ  絞り装置、２７  開閉装置、２８  第２冷媒流路切替え装置、２８ａ  第２冷媒流路切替え装置、２８ｂ  第２冷媒流路切替え装置、２９  開閉装置、３１  ポンプ、３１ａ  ポンプ、３１ｂ  ポンプ、３２  第１熱媒体流路切替え装置、３２ａ  第１熱媒体流路切替え装置、３２ｂ  第１熱媒体流路切替え装置、３２ｃ  第１熱媒体流路切替え装置、３２ｄ  第１熱媒体流路切替え装置、３３  第２熱媒体流路切替え装置、３３ａ  第２熱媒体流路切替え装置、３３ｂ  第２熱媒体流路切替え装置、３３ｃ  第２熱媒体流路切替え装置、３３ｄ  第２熱媒体流路切替え装置、３５  利用側熱交換器、３５ａ  利用側熱交換器、３５ｂ  利用側熱交換器、３５ｃ  利用側熱交換器、３５ｄ  利用側熱交換器、４０  一体化熱媒体流路切替え装置、４１  駆動装置、４２  冷房用熱媒体搬送用主管、４３  冷房用熱媒体戻り主管、４４  暖房用熱媒体搬送用主管、４５  暖房用熱媒体戻り主管、４６  熱媒体流路切替え弁、４７  室内ユニット搬送用配管、４８  室内ユニット戻り配管、５０  制御装置、５５  温度センサ、５５ａ  温度センサ、５５ｂ  温度センサ、６０  仕切り、１００、２００、３００  空気調和装置、Ａ  冷媒循環流路網、Ｂ  熱媒体循環流路網。
【図１】
2016009748.tif 000003
【図２】
2016009748.tif 000004
【図３】
2016009748.tif 000005
【図４】
2016009748.tif 000006
【図５】
2016009748.tif 000007
【図６】
2016009748.tif 000008
【図７】
2016009748.tif 000009
【図８】
2016009748.tif 000010
【図９】
2016009748.tif 000011
【図１０】
2016009748.tif 000012
【図１１】
2016009748.tif 000013
【図１２】
2016009748.tif 000014
【図１３】
2016009748.tif 000015
【図１４】
2016009748.tif 000016
【図１５】
2016009748.tif 000017
【図１６】
2016009748.tif 000018
【国際調査報告】
2016009748.tif 000019
2016009748.tif 000020
2016009748.tif 000021
2016009748.tif 000022